(57)【要約】【課題】  画像撮影機能を持つ携帯通信端末に移動無線通信網を介し該画像撮影機能の各種使用モード別制限条件を設定することにより、禁止条件の多様性に適合し、かつ撮影禁止条件の変更に素早く対応し設定された条件を変更する。【解決手段】  無線インターフェース１０１、画像撮影機能１０２、メモリ１０７、と制御部１１０を備えた携帯通信端末において、該制御部は該無線インターフェースを介して情報源から該画像撮影機能の使用制限情報を取得し、該使用制限情報を位置情報と一対一に対応させて前記メモリに格納し、さらに該使用制限情報を前記画像撮影機能の複数の使用モード別制限条件に分割し、制御部１１０は無線インターフェース１０１を介し位置情報を取得し、該位置情報に対応する使用制限情報の各使用モード別制限条件に従い前記画像撮影機能の使用を禁止する。【選択図】図１
2007282017.tif 000002
【特許請求の範囲】
【請求項１】
無線インターフェースと、画像撮影機能と、メモリと、制御部とを備え、
該制御部は前記無線インターフェースを介して情報源から前記画像撮影機能の使用制限情報を取得し、該使用制限情報を位置情報と一対一に対応させて前記メモリに格納し、さらに該使用制限情報を前記画像撮影機能の複数の使用モード別制限条件に分割し、
前記制御部は前記無線インターフェースを介し位置情報を取得し、該位置情報に対応する使用制限情報の各使用モード別制限条件に従い前記画像撮影機能の使用を禁止することを特徴とする携帯移動無線通信端末。
【請求項２】
請求項１において、前記情報源はイベント会場に隣接する場所に存在し前記位置情報は移動無線通信網の基地局識別番号であることを特徴とする携帯移動無線通信端末。
【請求項３】
請求項１において、前記情報源はイベント会場に隣接する場所に存在し前記位置情報はＧＰＳ位置情報であることを特徴とする携帯移動無線通信端末。
【請求項４】
請求項１において、前記情報源は移動無線通信網の基地局であり、前記位置情報は基地局識別番号であることを特徴とする携帯移動無線通信端末。 
【請求項５】
請求項１において、前記情報源は移動無線通信網の基地局であり、前記位置情報は基地局識別番号であることを特徴とする携帯移動無線通信端末。 
【請求項６】
請求項１において、前記情報源は移動無線通信網の基地局であり、前記位置情報はＧＰＳ位置情報であることを特徴とする携帯移動無線通信端末。 
【請求項７】
請求項１乃至６のいずれかにおいて、前記各種使用モード別制限条件は撮影可能、撮影無条件禁止および制限時間内撮影禁止を含むことを特徴とする携帯移動無線通信端末。
【請求項８】
請求項７において、前記各種使用モード別制限条件はフラッシュ撮影可能、フラッシュ撮影無条件禁止およびフラッシュ撮影制限時間を含むことを特徴とする携帯移動無線通信端末。
【請求項９】
請求項７または８において、前記各種使用モード別制限条件は撮影画像の編集可能および撮影画像の編集禁止を含むことを特徴とする携帯移動無線通信端末。
【請求項１０】
請求項４乃至９のいずれかにおいて、前記制御部は前記情報源から使用制限情報を再度取得し該使用制限情報に変更が生じている場合前記メモリに格納されている使用制限情報を再度取得した情報に従い変更することを特徴とする携帯移動無線通信端末。
【請求項１１】
ａ）無線インターフェースを介して情報源から携帯移動無線通信端末の画像撮影機能の使用制限情報を取得するステップと、
ｂ）該使用制限情報を位置情報に一対一で対応させてメモリに格納し、さらに該使用制限情報を前記画像撮影機能の複数の使用モード別制限条件に分割するステップと、
ｃ）前記無線インターフェースを介し前記端末の現在地を示す位置情報を取得し、該位置情報に対応する使用制限情報の各使用モード別制限条件に従い前記画像撮影機能の使用を禁止するステップ
を含むことを特徴とする携帯移動無線通信端末の画像撮影機能の使用制限方法。
【請求項１２】
請求項１１において、前記情報源はイベント会場に隣接する場所に存在し前記位置情報は移動無線通信網の基地局識別番号であることを特徴とする携帯移動無線通信端末の画像撮影機能の使用制限方法
。
【請求項１３】
請求項１１において、前記情報源はイベント会場に隣接する場所に存在し前記位置情報はＧＰＳ位置情報であることを特徴とする携帯移動無線通信端末の画像撮影機能の使用制限方法。
【請求項１４】
請求項１１において、前記情報源は移動無線通信網の基地局であり、前記位置情報は基地局識別番号であることを特徴とする携帯移動無線通信端末の画像撮影機能の使用制限方法。 
【請求項１５】
請求項１１において、前記情報源は移動無線通信網の基地局であり、前記位置情報は基地局識別番号であることを特徴とする携帯移動無線通信端末の画像撮影機能の使用制限方法。 
【請求項１６】
請求項１１において、前記情報源は移動無線通信網の基地局であり、前記位置情報はＧＰＳ位置情報であることを特徴とする携帯移動無線通信端末の画像撮影機能の使用制限方法。
【請求項１７】
請求項１１乃至１６のいずれかにおいて、前記各種使用モード別制限条件は撮影可能、撮影無条件禁止および制限時間内撮影禁止を含むことを特徴とする
携帯移動無線通信端末の画像撮影機能の使用制限方法。
【請求項１８】
請求項１７において、前記各種使用モード別制限条件はフラッシュ撮影可能、フラッシュ撮影無条件禁止およびフラッシュ撮影制限時間を含むことを特徴とする携帯移動無線通信端末の画像撮影機能の使用制限方法。
【請求項１９】
請求項１７または１８において、前記各種使用モード別制限条件は撮影画像の編集可能および撮影画像の編集禁止を含むことを特徴とする携帯移動無線通信端末の画像撮影機能の使用制限方法。
【請求項２０】
請求項１４乃至１９のいずれかにおいて、前記情報源から使用制限情報を再度取得し該使用制限情報に変更が生じている場合前記メモリに格納されている使用制限情報を再度取得した情報に従い変更するステップを含むことを特徴とする携帯移動無線通信端末の画像撮影機能の使用制限方法。
【請求項２１】
請求項１１ないし２０のいずれかの携帯移動無線通信端末の画像撮影機能の使用制限方法を実施するためのプログラム。
【発明の詳細な説明】
【技術分野】
【０００１】
本発明はカメラに撮影制限を加える技術に関し、殊に携帯通信端末に移動無線通信網を介し使用制限情報を設定し、該端末の現在位置と設定された情報に基づき画像撮影機能に使用制限を加える技術に関する。
【背景技術】
【０００２】
デジタルカメラを画像撮影機能として具備する携帯移動通信端末（以下携帯端末）が普及するに従い個人が常にカメラを携帯するようになり、カメラの撮影が禁止されている場所でも撮影してしまう機会が増え、情報管理および道義上の問題が発生している。
【発明の開示】
【発明が解決しようとする課題】
【０００３】
特許文献１によると、旅行者が携帯する通常のカメラにＧＰＳ機能と、旅行地で撮影禁止となっている場所の位置情報を予め記憶したメモリを持たせ、旅行地に置いてＧＰＳ機能が測位した情報に従いメモリの情報を参照し該当する場所があれば前記カメラの撮影を禁止する。
【特許文献１】特開２００３−１９８９１８  カメラによる撮影が禁止になる場所としてイベント会場が挙げられる。イベント会場における撮影禁止条件は多様であり、また時間の経過にしたがい撮影禁止条件も変更されることがある。しかし特許文献１によるとカメラの使用制限情報は旅行前に予めカメラに設定されるため、旅行地での撮影禁止条件の変更に即座に対応してメモリの内容を変更することができない。
【０００４】
本発明は画像撮影機能を持つ携帯通信端末に移動無線通信網を介し該画像撮影機能の各種使用モード別制限条件を設定することにより、禁止条件の多様性に適合し、かつ撮影禁止条件の変更に素早く対応し設定された条件を変更することができる携帯通信端末を提供することを目的とする。
【課題を解決するための手段】
【０００５】
第一の観点に基づく本発明の携帯移動無線通信端末は無線インターフェース、画像撮影機能、メモリと制御部を備え、該制御部は該無線インターフェースを介して情報源から該画像撮影機能の使用制限情報を取得し、該使用制限情報を位置情報と一対一に対応させて前記メモリに格納し、さらに該使用制限情報を前記画像撮影機能の複数の使用モード別制限条件に分割し、前記制御部は前記無線インターフェースを介し位置情報を取得し、該位置情報に対応する使用制限情報の各使用モード別制限条件に従い前記画像撮影機能の使用を禁止することを特徴とする。
【０００６】
更に第二の観点に基づく本発明の
携帯移動無線通信端末の画像撮影機能の使用制限方法は（ａ）無線インターフェースを介して情報源から携帯移動無線通信端末の画像撮影機能の使用制限情報を取得するステップ、（ｂ）該使用制限情報を位置情報に一対一で対応させてメモリに格納し、さらに該使用制限情報を前記画像撮影機能の複数の使用モード別制限条件に分割するステップ、と（ｃ）前記無線インターフェースを介し前記端末の現在地を示す位置情報を取得し、該位置情報に対応する使用制限情報の各使用モード別制限条件に従い前記画像撮影機能の使用を禁止するステップを含むことを特徴とする。
【発明を実施するための最良の形態】
【０００７】
（第１の実施の形態）
図１は本発明の携帯移動無線通信端末（以下携帯端末）の第１の実施の形態のブロック図である。該携帯端末１００はキーパッド１０６からの入力を受ける制御部１１０，該制御部からの制御信号により起動するデジタルカメラ１０２、該カメラが捉えた画像を表示する表示パネル１０３を備える。前記制御部は通信用無線インターフェース１０１を介しカメラ使用制限情報供給元１１１にアクセスしイベント会場（図２参照）における撮影制限情報を取得し、これをマッピングテーブル（使用制限テーブル）１０８としてメモリ１０７に格納する。また、制御部１１０は通信用無線インターフェース１０１を介して移動無線通信網の基地局１１２に無線リンクを設定し対向端末と通話回路（スピーカ１０４とマイク１０５）との間で送受話信号の授受を行う。
【０００８】
該マッピングテーブルは複数の基地局識別番号にそれぞれ対応する複数のエントリ１２０からなり、各エントリはデジタルカメラ１０２の各種使用モード別制限条件を記述する複数のフィールド、即ち、撮影条件フィールド１３１，フラッシュ条件フィールド１３３と編集条件フィールド１３３に分割されている。
【０００９】
さらに、撮影条件フィールド１３１は複数のサブフィールド、即ち「撮影可能」を指定するサブフィールド１４１，「無条件撮影禁止」を指定するサブフィールド１４２，「制限時間内禁止」を指定するサブフィールド１４３に分かれている。フラッシュ条件フィールド１３２も同様に「フラッシュ可能」を指定するサブフィールド１４４，「無条件フラッシュ禁止」を指定するサブフィールド１４５，と「制限時間内フラッシュ禁止」を指定するサブフィールド１４６に分かれている。また、編集条件フィールド１３３は「編集可能」を指定するサブフィールド１４７と「編集禁止」を指定するサブフィールド１４８に分かれている。
【００１０】
制御部１１０は制御チャンネルを経由し周期的に基地局１１２に位置登録信号を送出し、該基地局から基地局識別番号を受信する。制御部１１０はこの基地局識別番号をサーチキーとしてマッピングテーブル１０８を検索し、受信した基地局識別番号と同じ番号のエントリがあれば、このエントリの内容を調べる。
【００１１】
携帯端末１００がＧＰＳ用無線インターフェース１１３を具備していれば基地局識別番号の代わりにＧＰＳ衛星システム１１４から端末の現在位置を使用することができる。この場合、撮影制限情報供給元１１１は基地局識別番号の代わりにＧＰＳ位置情報を使用し、このＧＰＳ位置情報をマッピングテーブル１０８の各エントリに対応させることになる。
【００１２】
図２の（a）は携帯端末１００が使用されるイベント会場付近の複数の基地局の配置例を示す。エリア２０１，２０２と２０３の各中心部にサービスをそれぞれ提供する基地局２０４，２０５と２０５が設置されており、図２（a）はイベント会場２０７がこれらのエリアに部分的に重なっている例を示す。イベント会場２０７に至る場所に入場券を販売するエリア２０８がありその中心に無線局２０９が設置されている。無線局２０９は会場における撮影制限情報を常に発信しており、端末１００を携帯する入場者がエリア２０８を通過すると、この制限情報を受信し、その後イベント会場２０７に入る。
【００１３】
携帯端末１００の制御部１１０は図３のフローチャートに従いデジタルカメラ１０２の使用制限処理を実行する。会場入り口エリア２０８でカメラ使用制限情報を受信すると（ステップ３０１）、時間情報やデータの構造が正しいかを検査する。受信した情報が正しくない場合はこれを破棄して終了するが、正しければメモリ１０７に上述の如く使用制限テーブル１０８として保存する（ステップ３０２）。
【００１４】
携帯利用者がイベント会場２０７に入場後、キーパッド１０６を操作しデジタルカメラ１０２に対する起動要求を制御部１１０に入力すると（ステップ３０３）、制御部１１０はこれを検知し、ステップ３０４で最寄りの基地局から基地局識別番号を取得し、これをサーチキーとして使用制限テーブル１０８を参照する（ステップ３０５）。
【００１５】
該基地局から取得した基地局識別番号と同一の識別番号を持つエントリがテーブル１０８に存在すれば（ステップ３０６）、このエントリの各サブフィールド順次調べる。まず、撮影可能か否か判定し、不可であれば、ステップ３０８で無条件禁止か否を判定し、無条件禁止であればステップ３１０でデジタルカメラ１０２の起動を不許可とする。無条件禁止でなければ、フローはステップ３０９に進み制限時間内か否かを判定し、制限時間内であればステップ３１０でデジタルカメラ１０２の起動を不許可とし、ステップ３０３に戻る。
【００１６】
制御部１１０はステップ３０７で撮影可能、またはステップ３０９で制限時間外と判定した場合、判定ステップ３２１に進み、フラッシュ可能か否か判定し、不可であれば、ステップ３２２で無条件禁止か否を判定し、無条件禁止であればステップ３２４でフラッシュの使用を不許可とする。フラッシュが無条件禁止でなければ、制御部１１０はステップ３２３で制限時間内か否かを判定し、制限時間内であればステップ３２４でフラッシュの使用を不許可とする。
【００１７】
制御部１１０はステップ３２１でフラッシュ可能、またはステップ３２３で制限時間外と判定した場合、あるいは
ステップ３２４を実行した後、判定ステップ３３１に進み、編集可能か否か判定する。ステップ３３１の判定が編集不可であれば、制御部１１０は ステップ３３２で編集不可符号を撮影画像に記録し編集処理を不可としステップ３０３に戻り、
ステップ３３１で編集可能であれば直接 ステップ３０３に戻る。
【００１８】
ステップ３０４で基地局から取得した識別番号と同じ識別番号を持つエントリが使用制限テーブル１０８にない場合、
制御部１１０は携帯端末１００が イベント会場２０７を含む基地局エリアの外に出たことを認識し、ステップ３４１で使用制限テーブル１０８をメモリ１０７から削除する。
【００１９】
撮影制限情報を通信用無線インターフェース１０１経由で無線信号として取得できるため、携帯端末１００が会場入り口付近のエリア２０８内に滞在中にイベント会場２０７内の撮影条件に変更が生じた場合直ちにその変更内容を撮影制限情報に反映させることができる。
【００２０】
また、前述の如くカメラの使用制限を複数の項目に分割しさらに項目毎に複数の異なる条件が与えたため、制限条件の多様な組み合わせが可能となる。さらに、イベント会場が複数の基地局エリアに跨る場合は基地局毎に異なる使用制限を与えることが出来る。
【００２１】
（第２の実施の形態）
図２（ｂ）はいずれかの基地局を撮影制限情報供給元とした第２の実施の形態を示す。この実施例で、携帯端末１００はイベント会場２０７内に入ると使用制限情報が基地局から提供される。また、この実施例では端末１００がイベント会場２０７内に滞在中撮影制限条件に変更が生じた場合直ちにその変更内容を端末１００に通知することが出来る。
【００２２】
図４のフローチャートは第２の実施の形態における携帯端末の制御部１１０の動作を表し、図３との違いはステップ４０１と４０２を追加した点である。ステップ３１０またはステップ３３２の実行後、あるいはステップ３３１で編集可能の判定が下った場合、制御部１１０はステップ３０３に戻るまえに判定ステップ４０１で使用条件情報を基地局から取得し変更の有無を判定する。変更がある場合ステップ４０２で使用制限テーブル１０８の内容を取得した情報に従い修正する。
【００２３】
なお、基地局識別番号の代わりにＧＰＳの位置情報を使用する場合は図１、図３、図４において、基地局識別番号をＧＰＳ位置情報に置き換えればよい。
【図面の簡単な説明】
【００２４】
【図１】本発明の携帯無線通信端末のブロック図。
【図２】デジタルカメラ付きの携帯端末を携帯したユーザが訪れるイベント会場と付近の移動無線通信網の複数の基地局エリアを示す図。
【図３】第１の実施の形態に関する制御部の動作を表すフローチャート。
【図４】第２の実施の形態に関する制御部の動作を表すフローチャート。
【符号の説明】
【００２５】
１００  携帯端末
１０１  通信用無線インターフェース
１０２  デジタルカメラ
１０３  表示パネル
１０７  メモリ
１０８  使用制限テーブル
１１０  制御部
１１１  撮影制限情報元
１１２  基地局
１１３  ＧＰＳ用無線インターフェース
１１４  ＧＰＳ衛星システム
２０１、２０２，２０３  基地局エリア
２０４、２０５，２０６  基地局
２０７  イベント会場
２０８  入場券販売エリア
２０９  無線局
【図１】
2007282017.tif 000003
【図２】
2007282017.tif 000004
【図３】
2007282017.tif 000005
【図４】
2007282017.tif 000006